【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
遊技者の操作によって遊技媒体が打ち込まれる遊技領域と、
前記遊技領域が前面側に設けられた遊技パネルと、
前記遊技パネルの後側に配置され、該遊技パネルに形成された所定の開口から所定の表示を表示可能な表示パネルを有した演出表示手段と、
前記遊技領域内の所定位置に配置され、遊技媒体を受入可能とされた始動口と、
前記始動口への遊技媒体の受入れに応じて当落を抽選する抽選手段と、
前記抽選手段による抽選を所定時期まで保留する保留手段と、
前記遊技領域外に設けられ、前記保留手段に保留されている前記抽選を遊技者に認識させる保留表示を表示する遊技領域外保留表示手段と、
前記抽選に関する演出を制御する演出制御手段と、
前記遊技パネルと前記演出表示手段との間に配置され、前記演出表示手段の少なくとも一部を被覆するように動作可能な可動体と、を備えた遊技機において、
前記演出制御手段は、
前記保留手段に保留されている前記抽選を遊技者に認識させるとともに、前記抽選の結果に対する期待度を示唆可能な第１保留表示を表示する第１保留表示手段と、
前記第１保留表示とは別に、前記保留手段に保留されている前記抽選を遊技者に認識させる第２保留表示を表示する第２保留表示手段とを有し、
前記第１保留表示手段と前記第２保留表示手段は、いずれも前記遊技領域内に設けられ、
前記第１保留表示は、前記可動体の動作によって視認困難とされる場合があるが、前記第２保留表示は、前記可動体の動作によって視認困難とされる場合がないものであり、
前記第２保留表示は、前記第１保留表示が表示されていない箇所において、前記第１保留表示とは異なる大きさで表示されるものであり、前記第１保留表示が前記可動体の動作によって視認困難とされても、前記保留手段に保留されている前記抽選の数を前記第２保留表示によって遊技者に通知可能にしたものであり、
さらに、前記可動体は、待機位置から演出位置に移動可能であって、
前記第１保留表示手段は、前記遊技領域内のうちの前記演出位置にある前記可動体に重なるように所定の表示装置の表示領域内に設けられる一方、
前記第２保留表示手段は、前記遊技領域内のうちの前記第１保留表示が表示される前記表示装置の表示領域外であって、前記可動体の前方の所定位置に設けられており、
前記第１保留表示は、前記可動体が前記待機位置にあるときには前記可動体によって視認困難にされずに、前記可動体が前記演出位置にあるときには前記可動体によって視認困難にされうるものであり、
前記第２保留表示は、前記可動体が前記待機位置と前記演出位置のいずれにあるときにも前記可動体によって視認困難にされることはないものであり、
前記待機位置は、前記第１保留表示手段よりも下方の位置であり、
前記可動体は、前記待機位置から前記演出位置へと上昇移動することで、前記第１保留表示と重なりうる
ことを特徴とする遊技機。
【手続補正２】
【補正対象書類名】明細書
【補正対象項目名】０００１
【補正方法】変更
【補正の内容】
【０００１】
本発明は、遊技機に関する。
【手続補正３】
【補正対象書類名】明細書
【補正対象項目名】０００２
【補正方法】変更
【補正の内容】
【０００２】
遊技球を流下させて遊技を行い、抽選結果に応じて様々な演出を実行するパチンコ等の遊技機が知られている。
【手続補正４】
【補正対象書類名】明細書
【補正対象項目名】０００４
【補正方法】変更
【補正の内容】
【０００４】
しかしながら、従来と同様の遊技機では、面白みに欠け、遊技興趣のさらなる向上を図ることが困難であった。
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】変更
【補正の内容】
【０００７】
本発明は、このような事情に鑑みてなされたものであり、新たな態様の演出を行うことで遊技興趣のさらなる向上を図ることが可能な遊技機を提供することを目的とする。
【手続補正８】
【補正対象書類名】明細書
【補正対象項目名】０００８
【補正方法】変更
【補正の内容】
【０００８】
本発明は、
遊技者の操作によって遊技媒体が打ち込まれる遊技領域と、
前記遊技領域が前面側に設けられた遊技パネルと、
前記遊技パネルの後側に配置され、該遊技パネルに形成された所定の開口から所定の表示を表示可能な表示パネルを有した演出表示手段と、
前記遊技領域内の所定位置に配置され、遊技媒体を受入可能とされた始動口と、
前記始動口への遊技媒体の受入れに応じて当落を抽選する抽選手段と、
前記抽選手段による抽選を所定時期まで保留する保留手段と、
前記遊技領域外に設けられ、前記保留手段に保留されている前記抽選を遊技者に認識させる保留表示を表示する遊技領域外保留表示手段と、
前記抽選に関する演出を制御する演出制御手段と、
前記遊技パネルと前記演出表示手段との間に配置され、前記演出表示手段の少なくとも一部を被覆するように動作可能な可動体と、を備えた遊技機において、
前記演出制御手段は、
前記保留手段に保留されている前記抽選を遊技者に認識させるとともに、前記抽選の結果に対する期待度を示唆可能な第１保留表示を表示する第１保留表示手段と、
前記第１保留表示とは別に、前記保留手段に保留されている前記抽選を遊技者に認識させる第２保留表示を表示する第２保留表示手段とを有し、
前記第１保留表示手段と前記第２保留表示手段は、いずれも前記遊技領域内に設けられ、
前記第１保留表示は、前記可動体の動作によって視認困難とされる場合があるが、前記第２保留表示は、前記可動体の動作によって視認困難とされる場合がないものであり、
前記第２保留表示は、前記第１保留表示が表示されていない箇所において、前記第１保留表示とは異なる大きさで表示されるものであり、前記第１保留表示が前記可動体の動作によって視認困難とされても、前記保留手段に保留されている前記抽選の数を前記第２保留表示によって遊技者に通知可能にしたものであり、
さらに、前記可動体は、待機位置から演出位置に移動可能であって、
前記第１保留表示手段は、前記遊技領域内のうちの前記演出位置にある前記可動体に重なるように所定の表示装置の表示領域内に設けられる一方、
前記第２保留表示手段は、前記遊技領域内のうちの前記第１保留表示が表示される前記表示装置の表示領域外であって、前記可動体の前方の所定位置に設けられており、
前記第１保留表示は、前記可動体が前記待機位置にあるときには前記可動体によって視認困難にされずに、前記可動体が前記演出位置にあるときには前記可動体によって視認困難にされうるものであり、
前記第２保留表示は、前記可動体が前記待機位置と前記演出位置のいずれにあるときにも前記可動体によって視認困難にされることはないものであり、
前記待機位置は、前記第１保留表示手段よりも下方の位置であり、
前記可動体は、前記待機位置から前記演出位置へと上昇移動することで、前記第１保留表示と重なりうる
ことを特徴とする。
【手続補正９】
【補正対象書類名】明細書
【補正対象項目名】０００９
【補正方法】変更
【補正の内容】
【０００９】
本発明により、遊技興趣のさらなる向上を図ることが可能となる